(57)【特許請求の範囲】
【請求項１】
０系伝送路および１系伝送路を介して複数のノード装置が縦列に接続され、試験区間ごとに０系伝送路および１系伝送路の正常性と、系ごとの装置内常時監視の機能を用いて装置の正常性を試験するネットワーク試験システムにおいて、
前記試験区間を設定し、設定した試験区間で０系と１系の系固定の有無を確認する装置状態確認手段と、
前記試験区間ごとに、系固定なしの場合には０系と１系の両系に対して、系固定ありの場合には選択された一方の系に対して、それぞれ試験区間ごとにセクションレイヤのループバック試験と前記装置内常時監視を繰り返す試験手段と
を備えたことを特徴とするネットワーク試験システム。
【請求項２】
請求項１に記載のネットワーク試験システムにおいて、
前記試験手段は、前記系固定なしの場合に、０系と１系の両系に対する少なくとも一方の試験結果が全試験区間において正常であれば正常判定を行い、前記系固定ありの場合に、選択された一方の系に対する試験結果が全試験区間において正常であれば正常判定を行い、さらに少なくとも１つの試験区間で異常であれば異常判定を行う構成である
ことを特徴とするネットワーク試験システム。
【請求項３】
請求項１に記載のネットワーク試験システムにおいて、
前記試験手段は、前記装置内常時監視を行うときに、パスレイヤの主信号に影響があるポイントの監視結果を採用する構成である
ことを特徴とするネットワーク試験システム。
【請求項４】
０系伝送路および１系伝送路を介して複数のノード装置が縦列に接続され、試験区間ごとに０系伝送路および１系伝送路の正常性と、系ごとの装置内常時監視の機能を用いて装置の正常性を試験するネットワーク試験方法において、
前記試験区間を設定し、設定した試験区間で０系と１系の系固定の有無を確認する第１のステップと、
前記試験区間ごとに、系固定なしの場合には０系と１系の両系に対して、系固定ありの場合には選択された一方の系に対して、それぞれ試験区間ごとにセクションレイヤのループバック試験と前記装置内常時監視を繰り返す第２のステップと
を有することを特徴とするネットワーク試験方法。
【請求項５】
請求項４に記載のネットワーク試験方法において、
前記第２のステップは、前記系固定なしの場合に、０系と１系の両系に対する少なくとも一方の試験結果が全試験区間において正常であれば正常判定を行い、前記系固定ありの場合に、選択された一方の系に対する試験結果が全試験区間において正常であれば正常判定を行い、さらに少なくとも１つの試験区間で異常であれば異常判定を行う
ことを特徴とするネットワーク試験方法。
【請求項６】
請求項４に記載のネットワーク試験方法において、
前記第２のステップは、前記装置内常時監視を行うときに、パスレイヤの主信号に影響があるポイントの監視結果を採用する
ことを特徴とするネットワーク試験方法。
【発明の詳細な説明】
【技術分野】
【０００１】
本発明は、ネットワークにおける主信号のプロテクション技術として低遅延化を実現する先着優先系の無瞬断切替システムにおいて、複数のノードを中継するネットワークで各区間ごとに故障切り分け、迅速な故障箇所の特定を行うネットワーク試験システムおよび方法に関する。
【背景技術】
【０００２】
１＋１の無瞬断切替システムでは、送信側ノードから０系と１系の伝送路に複製した同一フレームを送信し、受信側ノードで一方のフレームを選択して後段に送出する。通常、ＴＤＭサービスでは無瞬断切替時の遅延揺らぎを回避するため、０系と１系の伝送路のうち、受信側ノードに先に到着する短遅延系伝送路の信号と、後から到着する長遅延系伝送路の信号が待合せをするので、系の遅延は長遅延系伝送路に固定される。
【０００３】
一方、イーサネット（登録商標）の無瞬断切替の場合、ＴＤＭよりもフレーム選択経路の切替による遅延変化に対する条件が緩和されるため、フレームの待ち合わせが不要になる。すなわち、受信側ノードは早く到着した正常なシーケンス番号のフレームを選択して送出する先着優先型の無瞬断切替を行う。通常は、短遅延系伝送路のフレームが先着するので、短遅延系伝送路のフレームのシーケンス番号が連続する限り、先着したフレームを優先的に送出することで低遅延化が可能である。
【０００４】
図５は、無瞬断切替システムの構成例を示す（特許文献１）。
図５において、一方の終端ノード１０と他方の終端ノード２０は、０系伝送路および１系伝送路を介して接続される。終端ノード１０，２０の無瞬断送信部１１，２１は、入力フレームにシーケンス番号を付与して複製した同一フレームを０系伝送路と１系伝送路に送信する。終端ノード１０，２０の無瞬断受信部１２，２２は、到着するフレームのシーケンス番号を検出し、シーケンス番号ごとに先着するフレームを送出する。
【０００５】
図６は、中継ノードを含む無瞬断切替システムの構成例を示す。
図６において、一方の終端ノード１０と他方の終端ノード２０は、０系伝送路および１系伝送路と、中継ノード３０を介して接続される。終端ノード１０，２０の無瞬断送信部１１，２１と無瞬断受信部１２，２２は、図５に示す構成と同様であり、フレームのシーケンス番号を用いた無瞬断切替制御が行われる。中継ノード３０では、フレームのシーケンス番号の付け替えを行わずに通過させている。
【０００６】
この構成において、区間ごとの故障切り分けを行う場合、ＯＡＭフレームを挿入し、対象区間で折り返すループバック試験（非特許文献１）が一般的である。ループバック試験では、ＯＡＭフレームにもシーケンス番号を付与する必要があるが、０系伝送路および１系伝送路においてループバック試験を行う例を図７を参照して説明する。ここでは、ＯＡＭフレームの付与されるシーケンス番号を「２」とする。
【０００７】
終端ノード１０の無瞬断送信部１１からは、シーケンス番号１，２，３のユーザフレーム、ＯＡＭフレーム、ユーザフレームの順に送出される。中継ノード３０は、フレーム選択部３１，３２およびＯＡＭ機能部３３でシーケンス番号２のＯＡＭフレームを折り返し、シーケンス番号１，３のユーザフレームを通過させる。終端ノード２０の無瞬断受信部２２では、シーケンス番号１，３のユーザフレームが到着するため、シーケンス番号２の抜けをパケットロスとして誤検知してしまう課題がある。先着優先型の無瞬断切替においてパケットロスを検出した場合、長経路側のパケット到達を待ってしまうため無用な遅延が発生してしまうが、ここでは０系伝送路および１系伝送路のいずれからもシーケンス番号２のＯＡＭフレームは到着せず、タイムアウトを待つことになる。
【０００８】
また、終端ノード２０の無瞬断送信部２１では、終端ノード１０と中継ノード３０との間でＯＡＭフレームが伝送されていることを判断できないため、シーケンス番号１，２のユーザフレームを送出した場合、中継ノード３０から終端ノード１０への折り返しのＯＡＭフレームのシーケンス番号２と、中継ノード３０で中継されたユーザフレームのシーケンス番号２が重複することになる。この場合、終端ノード１０の無瞬断受信部１２では、同一シーケンス番号を受信するためにシーケンス重複エラーとなる。
【先行技術文献】
【特許文献】
【０００９】
【特許文献１】特開２０１２−１７８６６５号公報
【非特許文献】
【００１０】
【非特許文献１】ＩＴＵ−Ｔ  G.8113.1/Y.1372.1
【発明の概要】
【発明が解決しようとする課題】
【００１１】
先着優先型の無瞬断切替システムにおいて、ＯＡＭフレームを用いて故障切り分けを実施する場合には、図７で説明したようなシーケンス番号とびおよびシーケンス番号重複の問題がある。
【００１２】
また、中継ノードを含む先着優先型の無瞬断切替システムでは、以下に示す３点について考慮する必要がある。
(1) ノード内の状態確認
先着優先型の無瞬断切替システムでは、図５および図６に示すように、０系伝送路および１系伝送路を有している。通常、どちらかの伝送路が通信可能であれば、パスレイヤとしては通信可能と判断されるが、工事等の作業準備として片系に固定する系固定を実施している状態で、固定している系が通信不可となった場合は、仮に固定していない系が通信可能だとしても、パスレイヤとして通信不可となる。系固定は、支障移転等の工事実施中に意図しない切替が発生してしまい長期的なサービス断を引き起こすことを防ぐ機能であり、冗長系を具備しているシステムでは一般的である。したがって、系固定のようなシステムとして、固定している系に対して各ノード内の状態確認が必須である。
【００１３】
(2) 故障個所と主信号の影響把握
通常、ノードが故障したことを知らせる警報として、ＥＱＰ(Equipment) 警報が定義されている。本ＥＱＰ警報では、各検出ポイントに対してノード内部で監視を実施し、本警報を検知することによりノード内の故障個所の特定が可能となる。しかし、ＥＱＰ警報は、パスレイヤでの主信号の正常性担保のために必要な部位と、監視制御など主信号と関連性のない部位の故障を区別していないため、単純なＥＱＰ警報の活用では、本来パスレイヤとしては正常と判断する結果に対して、誤って異常と誤検知する可能性がある。
【００１４】
(3) 迅速な故障個所の特定
パスレイヤとしての正常性を確認するためには、 (1)ノード内の状態確認と、 (2)故障箇所の主信号の影響把握がポイントとなる。ただし、上記のような詳細把握をしたうえで確認する場合、方式によっては切り分けの作業者に高度なスキルが必要となるとともに、作業時間が長期化してしまう恐れがある。区間ごとの故障切り分けを実施する場合、被疑箇所の特定は短時間で実施する必要があり、迅速な故障個所の特定が必要になる。
【００１５】
本発明は、各試験区間における系固定の有無に応じて片系または両系の試験を行い、ノード側に機能追加せずに試験区間ごとの故障切り分けを可能とするネットワーク試験システムおよび方法を提供することを目的とする。
【課題を解決するための手段】
【００１６】
第１の発明は、０系伝送路および１系伝送路を介して複数のノード装置が縦列に接続され、試験区間ごとに０系伝送路および１系伝送路の正常性と、系ごとの装置内常時監視の機能を用いて装置の正常性を試験するネットワーク試験システムにおいて、試験区間を設定し、設定した試験区間で０系と１系の系固定の有無を確認する装置状態確認手段と、試験区間ごとに、系固定なしの場合には０系と１系の両系に対して、系固定ありの場合には選択された一方の系に対して、それぞれ試験区間ごとにセクションレイヤのループバック試験と装置内常時監視を繰り返す試験手段とを備える。
【００１７】
第１の発明のネットワーク試験システムにおいて、試験手段は、系固定なしの場合に、０系と１系の両系に対する少なくとも一方の試験結果が全試験区間において正常であれば正常判定を行い、系固定ありの場合に、選択された一方の系に対する試験結果が全試験区間において正常であれば正常判定を行い、さらに少なくとも１つの試験区間で異常であれば異常判定を行う構成である。
【００１８】
第１の発明のネットワーク試験システムにおいて、試験手段は、装置内常時監視を行うときに、パスレイヤの主信号に影響があるポイントの監視結果を採用する構成である。
【００１９】
第２の発明は、０系伝送路および１系伝送路を介して複数のノード装置が縦列に接続され、試験区間ごとに０系伝送路および１系伝送路の正常性と、系ごとの装置内常時監視の機能を用いて装置の正常性を試験するネットワーク試験方法において、試験区間を設定し、設定した試験区間で０系と１系の系固定の有無を確認する第１のステップと、試験区間ごとに、系固定なしの場合には０系と１系の両系に対して、系固定ありの場合には選択された一方の系に対して、それぞれ試験区間ごとにセクションレイヤのループバック試験と装置内常時監視を繰り返す第２のステップとを有する。
【００２０】
第２の発明のネットワーク試験方法において、第２のステップは、系固定なしの場合に、０系と１系の両系に対する少なくとも一方の試験結果が全試験区間において正常であれば正常判定を行い、系固定ありの場合に、選択された一方の系に対する試験結果が全試験区間において正常であれば正常判定を行い、さらに少なくとも１つの試験区間で異常であれば異常判定を行う。
【００２１】
第２の発明のネットワーク試験方法において、第２のステップは、装置内常時監視を行うときに、パスレイヤの主信号に影響があるポイントの監視結果を採用する。
【発明の効果】
【００２２】
本発明は、試験区間を設定し、さらに系固定あり／系固定なしに応じて、セクションレイヤのループバック試験と装置内常時監視の結果を取得することにより、自律的にシステム試験結果として通信可能または通信不可を判定するこができる。
【図面の簡単な説明】
【００２３】
【図１】本発明のネットワーク試験システムの構成例を示す図である。
【図２】本発明のネットワーク試験システムの処理手順例を示すフローチャートである。
【図３】本発明のネットワーク試験システム（系固定なし）の装置内常時監視の判定例を示す図である。
【図４】本発明のネットワーク試験システム（系固定あり）の装置内常時監視の判定例を示す図である。
【図５】無瞬断切替システムの構成例を示す図である。
【図６】中継ノードを含む無瞬断切替システムの構成例を示す図である。
【図７】従来のネットワーク試験システムの構成例を示す図である。
【発明を実施するための形態】
【００２４】
図１は、本発明のネットワーク試験システムの構成例を示す。
図１において、一方の終端ノード１０と他方の終端ノード２０は、０系伝送路および１系伝送路と、中継ノード３０を介して接続される。終端ノード１０は、従来と同様の機能を有する無瞬断送信部１１、無瞬断受信部１２、ＯＡＭ機能部１３、０系インタフェース部（ＩＦ＃０）１４、１系インタフェース部（ＩＦ＃１）１５を有する。終端ノード２０は、従来と同様の機能を有する無瞬断送信部２１、無瞬断受信部２２、ＯＡＭ機能部２３、０系インタフェース部（ＩＦ＃０）２４、１系インタフェース部（ＩＦ＃１）２５を有する。中継ノード３０は、従来と同様の機能を有するＯＡＭ機能部３３、０系インタフェース部（ＩＦ＃０）３４−１，３４−２、１系インタフェース部（ＩＦ＃１）３５−１，３５−２と、フレーム選択部３１，３２に代えて０系および１系に対応するセクションループバック（ＬＢ）部３６，３７を有する。
【００２５】
本発明の特徴は、０系伝送路および１系伝送路に対して、従来のパスレイヤに代えてセクションレイヤのループバック試験と、装置内常時監視を組合せるところにある。したがって、終端ノード１０のＯＡＭ機能部１３、終端ノード２０のＯＡＭ機能部２３、中継ノード３０のＯＡＭ機能部３３は、それぞれ０系伝送路および１系伝送路に対する試験を切り分け、かつセクションレイヤのループバック信号および装置内常時監視を行う構成となる。また、中継ノード３０のセクションループバック（ＬＢ）部３６，３７は、ＯＡＭフレームをパスレイヤではなくセクションレイヤでループバックする構成となる。
【００２６】
各ＯＡＭ機能部１３，２３，３３では、上位の試験制御装置４０の制御により、試験区間ごとに、セクションレイヤのループバック試験および装置内常時監視を０系と１系に分けて行うか、あるいは０系と１系の両方に対して行う。
【００２７】
図２は、本発明のネットワーク試験システムの処理手順例を示す。
図２において、試験区間を設定し、設定した試験区間ごとに正常性確認処理に入り（Ｓ１）、試験区間ごとに装置状態を確認し系固定なしか系固定ありかを判定する（Ｓ２）。系固定なしの場合は、０系伝送路および１系伝送路に対してセクションレイヤのループバック試験を実施し、正常性確認を行う（Ｓ３）。ここで、いずれか一方の系の試験結果が正常と判定された場合には、０系および１系に対して装置内常時監視を実施し、正常性確認を行う（Ｓ４）。一方、ステップＳ２の判定で系固定ありの場合は、選択された系に対してセクションレイヤのループバック試験を実施し、正常性確認を行う（Ｓ５）。ここで、選択された系の試験結果が正常と判定された場合には、選択された系に対して装置内常時監視を実施し、正常性確認を行う（Ｓ６）。ステップＳ４においていずれか一方の系の試験結果が正常と判定された場合、またはステップＳ６において選択された系の試験結果が正常と判定された場合には、設定した試験区間の正常確認結果を格納し（Ｓ７）、未実施の試験区間がなくなるまでステップＳ１〜Ｓ６の処理を繰り返す（Ｓ８）。すべての試験区間において正常試験結果が得られた場合には、システム試験結果を通信可として記録する（Ｓ９）。
【００２８】
一方、設定された試験区間において、０系および１系に対するステップＳ３のループバック試験またはステップＳ４の装置内常時監視の結果が異常を示せば、他の試験区間に拘らずシステム試験結果を通信不可として記録する（Ｓ９）。同様に、設定された試験区間において、０系または１系の選択された系に対するステップＳ５のループバック試験またはステップＳ６装置内常時監視の結果が異常を示せば、他の試験区間に拘らずシステム試験結果を通信不可として記録する（Ｓ９）。
【００２９】
図３は、本発明のネットワーク試験システム（系固定なし）の装置内常時監視の判定例を示す。
図３において、終端ノード１０，２０および中継ノード３０では、０系および１系ごとに、パスレイヤの主信号に影響あり／影響なしのポイントに分けて装置内常時監視を行い、その結果を正常：○、異常：×で示す。
【００３０】
系固定なしでは、０系および１系が冗長構成になっているため、片系が故障してもパスレイヤとしては通信可として判定される。ここで、パスレイヤの主信号に影響がないポイントの監視結果は無視され、０系または１系でパスレイヤの主信号に影響ありのポイントで、監視結果の少なくとも一方が正常：○であれば、判定結果は正常：○となる。
【００３１】
図４は、本発明のネットワーク試験システム（系固定あり）の装置内常時監視の判定例を示す。
図４において、０系および１系の選択された伝送路を実線で示し、非選択の伝送路の破線で示す。選択された系で、かつ主信号に影響ありのポイントが正常であれば、非選択系の区間で故障が発生している場合でも、パスレイヤとしては通信可として判定される。図４(1),(2) に示すように、装置内常時監視で異常と判定された系が同じでも、その系が選択系か非選択系かによって、さらにパスレイヤの主信号に影響ありか影響なしかによって、判定結果が異なる。
【符号の説明】
【００３２】
１０，２０  終端ノード
１１，２１  無瞬断送信部
１２，２２  無瞬断受信部
１３，２３  ＯＡＭ機能部
１４，２４  ０系インタフェース部（ＩＦ＃０）
１５，２５  １系インタフェース部（ＩＦ＃１）
３０  中継ノード
３１，３２  フレーム選択部
３３  ＯＡＭ機能部
３４  ０系インタフェース部（ＩＦ＃０）
３５  １系インタフェース部（ＩＦ＃１）
３６，３７  セクションループバック（ＬＢ）部
【図１】
0006534640.tif 000002
【図２】
0006534640.tif 000003
【図３】
0006534640.tif 000004
【図４】
0006534640.tif 000005
【図５】
0006534640.tif 000006
【図６】
0006534640.tif 000007
【図７】
0006534640.tif 000008